(57)【要約】【課題】側板と天板又は地板と当接する面が夫々略直交するように配されて組み立てられるとともに、背板が側板などに対して略垂直に固定し得る固定部材を提供する。【解決手段】箱型家具１０の背板１４裏面に設けられて、背板と、側板１１と、天板１２又は地板１３とを固定する固定部材１であって、側板と天板又は地板とによって形成される角部１６の一方面を支持する第１支持部２と、他方の面を支持する第２支持部３とを備え、前記第１支持部及び前記第２支持部は、側板又は天板若しくは地板と固定するための固定具５ａが挿通される固定孔５を有するとともに、側板と天板又は地板と当接する面が略直交するように配され、且つ互いに離間して構成されており、側板と天板又は地板とによって形成される角部と接しないニゲ凹所４を有していることを特徴とする。【選択図】図１
2011153634.tif 000002
【特許請求の範囲】
【請求項１】
箱型家具の背板裏面に設けられて、背板と、側板と、天板又は地板とを固定する固定部材であって、
側板と天板又は地板とによって形成される角部の一方面を支持する第１支持部と、他方の面を支持する第２支持部とを備え、
前記第１支持部及び前記第２支持部は、側板又は天板若しくは地板と固定するための固定具が挿通される固定孔を有するとともに、側板と天板又は地板と当接する面が略直交するように配され、且つ互いに離間して構成されており、側板と天板又は地板とによって形成される角部と接しないニゲ凹所を有することを特徴とする固定部材。
【請求項２】
請求項１において、
前記第１支持部及び前記第２支持部の端部には、側板、天板及び地板に形成された背板固定溝と該背板固定溝に組み付けられた背板との間隙に嵌め入れられる爪部が形成されていることを特徴とする固定部材。
【請求項３】
請求項１または請求項２において、
前記ニゲ凹所に対向する部位には、側板と略４５度の角度で対向する指押し面が形成されていることを特徴とする固定部材。
【請求項４】
請求項１〜請求項３のいずれか１項において、
前記第１支持部及び前記第２支持部は、前記指押し面の垂線に対して左右対称であり、壁面に固定するための壁面固定具が挿通される壁面固定孔が夫々に形成されていることを特徴とする固定部材。
【発明の詳細な説明】
【技術分野】
【０００１】
本発明は、箱型家具の背板と、側板と、天板又は地板とを固定する固定部材に関する。
【背景技術】
【０００２】
従来より、背板と、側板と、天板と、地板とを備えた箱型家具が知られている。
このような箱型家具においては、側板、天板、地板の夫々に背板を固定するための背板固定溝が掘り込み形成され、背板固定溝に背板が嵌め入れられるとともに、背板の裏面側には、背板と、側板と、天板又は地板とを固定する固定部材が設けられている。
【０００３】
例えば下記特許文献１及び下記特許文献２には、箱型家具の背板裏面に固定部材が設けられたものが開示されている。
下記特許文献１には、背板と背板固定溝の隙間に差し込まれる楔部と、背板に食い込ませる爪とを備えた固定部材が記載されており、これによれば、楔部と爪との相乗効果で背板を強固に固定できるとされている。
また下記特許文献２には、側板に設けられた取付孔に圧入される突起部と、壁面に固定されるネジが挿通されるネジ孔とを有する固定部材が記載されており、これによれば、背板の裏面に固定部材を容易に取り付けることができる。
【先行技術文献】
【特許文献】
【０００４】
【特許文献１】特開２００１−７８８４２号公報
【特許文献２】特開２００５−２７８６９８号公報
【発明の概要】
【発明が解決しようとする課題】
【０００５】
ところで、上述のような箱型家具は、背板固定溝の加工精度によっては、形成位置にずれが生じてしまう場合がある。
図８はその状態を示した図であり、床面に設置された箱型家具１００の背面側角部の一部を一部拡大斜視図で示している。図中、１１０は側板、１２０は地板を示している。これらの夫々には、背板（不図示）を固定するための背板固定溝１１０ａ，１２０ａがレール状に掘り込み形成されている。
ここに示すように、側板１１０及び地板１２０に形成される背板固定溝１１０ａ，１２０ａの加工精度によって、側板１１０と地板１２０を組み立てたときに夫々の背板固定溝１１０ａ，１２０ａの形成位置が僅かながらもずれてしまうことがある。
【０００６】
しかしながら、上記特許文献１及び上記特許文献２に記載のものは、固定部材の角部を側板と天板又は地板との接合箇所に当接させて取り付けるように構成されているので、このような背板固定溝の形成位置にずれがある場合に対応できるものではなかった。
すなわち、背板固定溝の形成位置にずれがある場合に上述のような固定部材を無理矢理側板１１０と地板１２０の角部にねじ止めすると、背板に局所的な歪みが生じ、背板にヒビが入ったり割れたりする場合があり、背板をしっかりと固定することができない。
さらにこのような背板固定溝のずれにより、背板の組み付け状態が悪いと側板と天板、又は側板と地板との接合部分にも歪みが生じ、略直方体形状の箱型家具を精度よく組み立てることができない。
【０００７】
本発明は、上記実情に鑑みなされたものであり、箱型家具を精度よく組み立てられるとともに、背板をしっかりと固定し得る固定部材を提供することを目的とする。
【課題を解決するための手段】
【０００８】
本発明に係る固定部材は、箱型家具の背板裏面に設けられて、背板と、側板と、天板又は地板とを固定する固定部材であって、側板と天板又は地板とによって形成される角部の一方面を支持する第１支持部と、他方の面を支持する第２支持部とを備え、前記第１支持部及び前記第２支持部は、側板又は天板若しくは地板と固定するための固定具が挿通される固定孔を有するとともに、側板と天板又は地板と当接する面が略直交するように配され、且つ互いに離間して構成されており、側板と天板又は地板とによって形成される角部と接しないニゲ凹所を有していることを特徴とする。
【０００９】
本発明において、前記第１支持部及び前記第２支持部の端部には、側板、天板及び地板に形成された背板固定溝と該背板固定溝に組み付けられた背板との間隙に嵌め入れられる爪部が形成されているものしてもよい。
また本発明において、前記ニゲ凹所に対向する部位には、側板と略４５度の角度で対向する指押し面が形成されているものとしてもよい。
さらに本発明において、前記第１支持部及び前記第２支持部は、前記指押し面の垂線に対して左右対称であり、壁面に固定するための固定具が挿通される壁面固定孔が夫々に形成されているものとしてもよい。
【発明の効果】
【００１０】
本発明に係る固定部材によれば、箱型家具を精度よく組み立てられるとともに、背板が嵌め入れられる背板固定溝のずれにも対応でき、背板をしっかりと固定することができる。
【図面の簡単な説明】
【００１１】
【図１】（ａ）及び（ｂ）は本発明の一実施形態に係る固定部材の概略的斜視図であり、（ａ）は背板に当接する面側、（ｂ）はその裏面側を示している。
【図２】（ａ）及び（ｂ）は同固定部材が取り付けられる箱型家具を示した図であり、（ａ）は箱型家具の正面図、（ｂ）は箱型家具の背面斜視図である。
【図３】（ａ）及び（ｂ）は同固定部材の変形例を示しており、図１と同様図である。
【図４】（ａ）〜（ｃ）は同固定部材の箱型家具への組み付け工程を示す斜視図である。
【図５】同固定部材を介して箱型家具を壁面へ固定する施工の一例を説明するための図である。
【図６】図５における施工状態を説明するための図であり、箱型家具の上方からみた模式的平面図である。
【図７】同固定部材を介して箱型家具を壁面へ固定する施工の別の一例を説明するための図である。
【図８】従来の箱型家具において、背板固定溝の形成位置がずれている状態を示す一部拡大斜視図である。
【発明を実施するための形態】
【００１２】
以下に本発明における実施の形態の一例について、図１〜図７に基づいて説明する。
本実施形態における固定部材１は、図１及び図２に示すように箱型家具１０の背板１４に設けられて、背板１４と、側板１１と、天板１２又は地板１３とを固定する固定部材１であって、側板１１と天板１２又は地板１３とによって形成される角部１６の一方面を支持する第１支持部２と、他方の面を支持する第２支持部３とを備えている。
第１支持部２及び第２支持部３は、側板１１又は天板１２若しくは地板１３と固定するための固定具５ａが挿通される固定孔５を有するとともに、側板１１と天板１２又は地板１３と当接する面が略直交するように配され、且つ互いに離間して構成されており、側板１１と天板１２又は地板１３とによって形成される角部１６と接しないニゲ凹所４を有している。
ここでは、天板１２或いは地板１３と当接する面を支持する側を第１支持部２、側板１１と当接する面を支持する側を第２支持部３とした例について説明するが、これに限定されるものではない。
【００１３】
固定部材１が取り付けられる箱型家具１０は、図２（ａ）に示すように左右一対の側板１１，１１と、これら側板１１，１１の上下端部間に設けられる天板１２及び地板１３と、これら側板１１，１１の後方側端部間に配された背板１４とを備え、前面開口の直方体形状に構成されている。
なお、背板１４は、側板１１，１１、天板１２、地板１３の夫々に形成された背板固定溝１１ａ，１２ａ，１３ａ（後に示す図４（ａ）参照）に組み付けられる。
図２（ｂ）には、箱型家具１０の背面側を示しており、ここに示すように側板１１と天板１２、及び側板１１と地板１３とによって形成される４隅の角部１６には、固定部材１が取り付けられている。
なお、図に示した箱型家具１０は、前面開口の箱型家具１０を示しているがこれに限定されず、前面に開閉自在に構成された扉体を備えたもであってもよいし、また箱型家具１０内に仕切板や棚板を設け、複数の収納空間を備えたものとしてもよい。
【００１４】
図１（ａ）及び（ｂ）を参照しながら、固定部材１について詳しく説明する。
図１（ｂ）では説明のため、側板１１及び天板１２を２点鎖線で示している。
固定部材１は、樹脂材などからなり、背板１４の裏面に取り付けた際に側板１１，１１、天板１２，地板１３の後方側端部と略面一になる厚みを有したブロック状体に形成されている。
固定部材１の背板１４と当接する面を表面としてみた場合、好ましくはその表面側は、平坦な面とされており（図１（ａ）参照）、その裏面側は、補強リブが露出した凹凸面となっている（図１（ｂ）参照）。この凹凸面の凸状は、一様の高さとされ、例えば壁面２０（後に示す図６参照）に沿って箱型家具１０を設置したときには、壁面２０に沿わせて設置することができる。
固定部材１には、表裏に貫通した固定孔５が複数形成されており、第１支持部２に形成された固定孔５は、背板１４を介して天板１２又は地板１３を固定するために裏面側から表面側に向かって斜め外向きに貫通形成されている。
また第２支持部３に形成された固定孔５は、背板１４を介して側板１１を固定するために裏面側から表面側に向かって斜め外向きに貫通形成されている。
【００１５】
固定部材１は、図１（ｂ）に示すように固定部材１の第１支持部２の端面と第２支持部３の端面とが、略直角の位置関係をなすように構成されているため、これらで支持される側板１１と天板１２（又は地板１３）は、その角部１６が略直角の状態で固定支持される。
また第１支持部２と第２支持部３とは、これらが互いに離間して構成されており、側板１１と天板１２（又は地板１３）とによって形成される角部１６と接しないニゲ凹所４を有している。
これによれば、側板１１、天板１２、背板１４の３方に若干の寸法誤差があっても、ニゲ凹所４を設けることによりねじなどの固定具５ａ（後に示す図４（ｂ）参照）で固定する位置を角部１６から離れた位置とすることができる。そのため、角部１６近傍の背板１４に局所的な歪みが生じにくく、背板１４の割れなどを抑制するとともに、背板１４と側板１１、背板１４と天板１２（又は地板１３）とを固定部材１でしっかりと固定できる。
【００１６】
第１支持部２及び第２支持部３の端部には、爪部７が形成されており、これら爪部７は側板１１、天板１２及び地板１３に形成された背板固定溝１１ａ，１２ａ，１３ａ（図４（ａ）参照）と背板固定溝１１ａ，１２ａ，１３ａに組み付けられた背板１４との間隙に嵌め入れられる。
図１（ａ）及び（ｂ）に示すように爪部７は、固定孔５の形成位置を挟んだ第１支持部２の端面の２箇所から突出して形成されており、先側へ向かって漸次細くなるように形成された断面テーパー状に形成されている。また第２支持部３にも同様に爪部７が第２支持部の端面から突出して形成されている。
これによれば、背板固定溝１１ａ，１２ａ，１３ａと背板固定溝１１ａ，１２ａ，１３ａに組み付けられた背板１４との間隙に爪部７が押し込まれるため、背板１４が前方に押され、箱型家具１０の収納空間に隙間が形成されにくく、そのため背板１４を背板固定溝１１ａ，１２ａ，１３ａにがたつかせることなく組み付けることができる。
さらに爪部７の形状が上述のように先側に向かって漸次細くなるように形成されたものとすれば、背板固定溝１１ａ，１２ａ，１３ａに組み付けられた背板１４との間隙に嵌め入れやすいものとすることができる。
【００１７】
固定部材１のニゲ凹所４に対向する部位には、側板１１に対して略４５度の角度で対向する指押し面８が形成されているものとしてもよい。すなわち、図１（ｂ）に示すように指押し面８の形成位置を１点鎖線で示し場合、この線と側板１１とが交わる角度８ａは略４５度をなすように指押し面８が形成されているものとしてもよい。
これによれば、図４（ｃ）に示すように箱型家具１０の角部１６に固定部材１を取り付ける際に指押し面８を指で押していけばよく、固定部材１の取り付けがしやすい。
【００１８】
また指押し面８の中央の垂線８ｂに対して第１支持部２及び第２支持部３は、左右対称であり、壁面２０に箱型家具１０を固定するための固定具９が挿通される壁面固定孔６が夫々に形成されたものとしてもよい。このとき、ここに形成される壁面固定孔６は壁面固定具９（図５など参照）が遊嵌されるように、クリアランスのある大きさに形成されることが望ましい。
図に示す壁面固定孔６は第１支持部２側、第２支持部３側の夫々に設けられるとともに、垂線８ｂ上にも設けられている。
このように複数の壁面固定孔６が設けられたものとした場合は、壁面２０に箱型家具１０を固定する際にその設置場所や箱型家具１０の構成に応じて壁面固定具９（図５等参照）を挿通させる壁面固定孔６を選択することができる。
指押し面８の中央の垂線８ｂは、略直角に構成される角部１６に対しては略４５度の角度に配され（図１（ｂ）参照）、これを中心に第１支持部２、第２支持部３が左右対称に構成されたものとすれば、第１支持部２及び第２支持部３の支持力を均等なものとすることができる。また指押し面８を押して取り付ける際に力が均等にかかるので取り付けしやすいものとすることができる。
【００１９】
続いて図３には、固定部材１の変形例としてニゲ凹所４近傍の第１支持部２及び第２支持部３に爪部７が形成されていないものを示している。その他の構成は図１（ａ）及び（ｂ）に示す固定部材１と同様である。
このようにニゲ凹所４に近い側の爪部７をないものを用いれば、角部１６近傍の局所的な歪みをより効果的に抑制することができる。
例えば側板１１と天板１２との間の寸法誤差や背板固定溝１１ａ，１２ａの形成位置のずれが大きい場合でも、ニゲ凹所４の存在に加えて爪部７の位置を角部１６から離れた位置とすることで、角部１６近傍の背板１４に局所的な歪みが生じにくくなる。よって、背板１４の割れなどを抑制するとともに、背板１４と側板１１、背板１４と天板１２（又は地板１３）とを固定部材１でしっかりと固定できる。
【００２０】
次に図４（ａ）〜図４（ｃ）を参照しながら、箱型家具１０の組み立て工程及び固定部材１の取り付け工程について説明する。
一対の側板１１，１１、の上下端部の天板１２又は地板１３と接合される部位には、ダボ孔１１ｂ・・・が複数形成されており、天板１２及び地板１３の端面には、これらダボ孔１１ｂ・・・に嵌合されるダボ１２ｂ・・・，１３ｂ・・・が複数形成されている。
側板１１，１１、天板１２、地板１３の後方側端部近傍には、図４（ａ）に示すように夫々の後方側端部から所定の間隔を空けてレール状に背板固定溝１１ａ，１２ａ，１３ａが形成されている。
【００２１】
まずはこのように形成されている一方の側板１１のダボ孔１１ｂ・・・に天板１２、地板１３のダボ１２ｂ・・・，１３ｂ・・・を位置合わせしてハンマーなどで叩き込んで嵌め合わせて、組み立てていく。側板１１、天板１２、地板１３を組み立てたら、その段階で、背板１４を背板固定溝１１ａ，１２ａ，１３ａに挿通させ組み付ける。そしてもう一方の側板１１を組み付ける。このときもダボ１２ｂ・・・，１３ｂ・・・とダボ孔１１ｂ・・・の位置あわせを行ってハンマーなどで叩き込んで嵌め合わせる。
こうして図２の（ａ）及び（ｂ）に示す箱型家具１を組み立てることができる。
このとき、予めダボ孔１１ｂ・・・や背板固定溝１１ａ，１２ａ，１３ａに接着剤を入れておけばより強度の高い箱型家具１０とすることができる。
【００２２】
続いて背板１４の裏面側に固定部材１を取り付けていく。
背板１４は、後方側端部から所定の間隔を空けて形成された背板固定溝１１ａ，１２ａ，１３ａに組み付けられるため、箱型家具１０を壁面２０（図６参照）に沿わせて設置した場合には、背板１４と壁面２０との間に隙間が形成される。この隙間を埋めるように、側板１１と天板１２又は地板１３とによって形成される角部１６には、固定部材１が取り付けられる。
固定部材１の表面側（当接面側）を背板１４の裏面に沿わせ、角部１６に向けて指押し面８を指で押し付けて取り付ける（図４（ｂ）及び図４（ｃ）参照）。
そうすれば、爪部７は、背板固定溝１１ａ，１２ａ，１３ａと背板１４との隙間に挿入され、背板１４は収納空間側と押し付けられた状態で固定部材１によって固定される。
このとき、固定部材１の表面側に接着剤をつけて取り付ければ、角部１６に設けられる固定部材１との相乗効果でより一層箱型家具１０の強度を向上させることができる。
そして、固定孔５にねじなどの固定具５ａを挿通し、背板１４を介して側板１１或いは天板１２（又は地板１３）に向けて固定具５ａを斜め方向に螺入していく。
【００２３】
このとき、第１支持部２と第２支持部３とは、側板１１と天板１２（又は地板１３）と当接する面が略直交するように配されているので、側板１１と天板１２（又は地板１３）とで形成される角部１６を略直角にすることができる。また例えば側板１１の背板固定溝１１ａの形成位置と、天板１２の背板固定溝１２ａの形成位置との間にずれがある場合には、側板１１、天板１２、背板１４の３方のずれを固定部材１のニゲ凹所４によって吸収することができる。
すなわち、上述したようにニゲ凹所４が設けられていることにより、固定具５ａで固定する位置を角部１６から離れた位置とすることができる。そのため、角部１６近傍の背板１４に局所的な歪みが生じにくく、背板１４の割れなどを抑制するとともに、背板１４と側板１１、背板１４と天板１２（又は地板１３）とを固定部材１でしっかりと固定できる。そして固定部材１の第１支持部２及び第２支持部３によって側板１１と天板１２（又は地板１３）とで形成される角部１６を略直角にすることができ、直方体形状をなす箱型家具１０を精度よく組み立てることができる。
【００２４】
続いて、図５〜図７を参照しながら、固定部材１によって箱型家具１０を壁面２０に固定する場合の施工例について説明する。なお、施工手順は以下の手順に限定されるものではない。
図５及び図６は、背板固定式、すなわち、背板１４を介して上述した指押し面８の中央の垂線８ｂ上に設けられた壁面固定孔６に壁面固定具９を挿通させ、壁面２０に箱型家具１０を固定する例を示している。図中、９ａはコーススレッドビス、９ｂはワッシャ、９ｃはキャップを示している。
固定部材１を背板１４の裏面に固定するまでは上述のとおりである。
その後、背板１４の裏面側から壁面固定孔６を通じて背板１４に位置決め用の目印孔６ａを形成しておく。もしくは、箱型家具１０の収納空間側に固定部材１の壁面固定孔６の位置に相当する部位に孔が空いた紙製治具（不図示）を用いて、壁面固定具９の挿通場所の位置決めを行ってもよい。
【００２５】
こうしてコーススレッドビス９ａを螺入する目印ができたら、図５に示すように箱型家具１０の収納空間側からワッシャ９ｂを装着した状態でドライバーなどの固定用治具３０を用いてコーススレッドビス９ａを目印孔６ａに向けて螺入していく。そして固定部材１の壁面固定孔６を通じてさらにコーススレッドビス９ａを壁面２０に螺入させていく。
背板１４を固定部材１を介して壁面２０に固着させたら、コーススレッドビス９ａのねじ頭にキャップ９ｃを被せる。
【００２６】
図６は、固定部材１によって、壁面２０に固定された状態の箱型家具１０を示している。
ここでは説明のため、天板１２を２点鎖線で示している。
このように固定部材１は壁面２０と背板１４との間に介在するスペーサーとなって、箱型家具１０を強固に壁面２０に固定することができる。
よって地震などがあったときに箱型家具１０が転倒してしまうことを防止することができる。
なお、ここでは、指押し面８の中央の垂線８ｂ上に設けられた壁面固定孔６に壁面固定具９を挿通させた例について説明したが、これに限らず、他の壁面固定孔６に挿通させて壁面固定をしてもよい。
【００２７】
図７は、側板固定式、すなわち、側板１１を介して壁面固定孔６に壁面固定具９を挿通させ、壁面２０に箱型家具１０を固定する例を示している。図５及び図６と共通する部分には共通の符号を付し、その説明は省略する。
ここでは側板１１の収納空間側奥方に複数形成された棚板固定ダボ孔１１ｃと、Ｌ字金具４０と、第２支持部３側に形成された壁面固定孔６とを用いて固定を行う。
上述と同様にコーススレッドビス９ａを螺入する目印ができたら、Ｌ字金具４０の背板側挿通孔４０ａにコーススレッドビス９ａを挿通させ、側板側挿通孔４０ｂ，４０ｂに固着具４０ｄを挿通させ、夫々を螺入させてＬ字金具４０を固着する。
このとき、コーススレッドビス９ａは、上述の例と同様、ドライバーなどの固定用治具によって、固定部材１の壁面固定孔６を通じて壁面２０に螺入される。
これによっても、固定部材１が壁面２０と背板１４との間に介在するスペーサーとなって、箱型家具１０を強固に壁面２０に固定することができる。またこの場合は、Ｌ字金具４０によって、側板１１との固定関係も生じるので、より固定強度を向上させることができる。
【００２８】
なお、固定部材１の形状、大きさなどは図例に限定されるものではなく、例えば第１支持部２及び第２支持部３の形状、固定孔５及び壁面固定孔６の形成位置や個数、爪部７の形状などは、図例に限定されるものではない。また箱型家具１０に取り付けられる固定部材１の個数も図例に限定されず、箱型家具１０の形状、大きさに合わせて設けることができる。
【符号の説明】
【００２９】
１      固定部材
２      第１支持部
３      第２支持部
４      ニゲ凹所
５      固定孔
５ａ      固定具
６      壁面固定孔
７      爪部
８      指押し面
９      壁面固定具
１０      箱型家具
１１      側板
１２      天板
１３      地板
１４      背板
【図１】
2011153634.tif 000003
【図２】
2011153634.tif 000004
【図３】
2011153634.tif 000005
【図４】
2011153634.tif 000006
【図５】
2011153634.tif 000007
【図６】
2011153634.tif 000008
【図７】
2011153634.tif 000009
【図８】
2011153634.tif 000010